(57)【特許請求の範囲】
【請求項１】
ケーブルを挿通可能な中空の本体と、該本体の一端側に収容されるハウジングと、該本体の他端側に一体形成され外壁にネジ部が設けられたコネクタ部と、該コネクタ部と螺合する締付ナットと、該コネクタ部と該締付ナットとの間に介在するパッキンと、該ケーブルが相通可能な開口と、該パッキンの一端面と接触する底壁と、該底壁の縁部から軸線方向に突出した足部とを備え、該締付ナットの内壁面と該パッキンとの間に装着されるカラーとを有し、
前記コネクタ部は、外壁に前記締付ナットが螺合するねじ部と、該壁面の端面から軸線方向に前記足部を受け入れる縦溝とが設けられ、
前記締付ナットを前記コネクタ部に締め付け、前記縦溝に前記足部差込んで、前記カラーを前記コネクタ部に係止させることにより、前記本体内に前記ケーブルを保持することを特徴とするフード。
【発明の詳細な説明】
【技術分野】
【０００１】
本発明は、ケーブルクランプを一体化したフードに関する。
【背景技術】
【０００２】
例えば、フードに関して特許文献１のような構成の開示がある。この構成は、図２および図３に示すように、本発明のフードに相当する第２のプラグコネクタ部分１２の胴部２６からなる。胴部２６の一端側は、アダプタ２８が収容できるように形成されている。さらに、胴部２６の他端側は、ねじ込み式ケーブル固定部材３４を収容するための収容スリーブ３２が設けられている。
【０００３】
【特許文献１】特開２００３−６８４１３号公報
【発明の開示】
【発明が解決しようとする課題】
【０００４】
上記構成は、段落番号００１４に記載されているように、ねじ式ケーブル固定部材３４を収容スリーブ３２に取り付け、さらに、ねじ式ケーブル固定部材３４を収容スリーブ３２にねじ込むことにより、アダプタ２８内のプラグに取り付けられたケーブルを胴部２６内に密閉するものである。
【０００５】
このため、ケーブルの密閉を図るためには、ねじ式ケーブル固定部材３４自体の組立作業と、この組み立てたねじ式ケーブル固定部材３４を胴部２６の他端側に、組み付ける作業を行う必要があり、部品点数が多くなり、製品のコストアップの原因や作業効率の低下の原因となりやすい。
【０００６】
本発明の課題は、ケーブルの密閉化および確実なケーブルの保持を図るための、部品点数を少なくし、製品のコストダウンや作業効率を向上させることにある。
【課題を解決するための手段】
【０００７】
上記問題を解決するために、本発明は、  ケーブルを挿通可能な中空の本体と、該本体の一端側に収容されるハウジングと、該本体の他端側に一体形成され外壁にネジ部が設けられたコネクタ部と、該コネクタ部と螺合する締付ナットと、該コネクタ部と該締付ナットとの間に介在するパッキンと、該ケーブルが相通可能な開口と、該パッキンの一端面と接触する底壁と、該底壁の縁部から軸線方向に突出した足部とを備え、該締付ナットの内壁面と該パッキンとの間に装着されるカラーとを有し、
コネクタ部は、外壁に締付ナットが螺合するねじ部と、該壁面の端面から軸線方向に足部を受け入れる縦溝とが設けられ、
締付ナットをコネクタ部に締め付け、縦溝に足部差込んで、カラーをコネクタ部に係止させることにより、本体内にケーブルを保持することを特徴とする。
【発明の効果】
【０００９】
上記構成により、本発明によれば、本体の一端側にコネクタ部を一体形成することにより、ケーブルの密閉化および確実なケーブルの保持を図るための、部品点数を少なくし、製品のコストダウンや作業効率を向上させることができる。また、カラーに、コネクタ部に係止させる足部を設けることにより、カラーの回り止めを行うことができる。さらに、コネクタ部は締付ナットと螺合するねじ部を設けた外壁を有し、この外壁にカラーの足部を差し込むための縦溝を形成することにより、上記で述べた効果を保ちながら、フード内の防水を同時に図ることができる。
【発明を実施するための最良の形態】
【００１２】
以下、図を用いて、本発明の実施の形態を説明する。先ず、本発明のフードの概略を図１、２に示す。図１、２に示すように、フードは、本体１００とコネクタ部２００と締付ナット３００とパッキン４００とカラー５００とからなる。
【００１３】
本体１００は、熱可塑性合成樹脂等の樹脂材料、具体的にはポリカーボネートを一体形成したものであり、内部はケーブル６００が挿通できるように中空となっている。ケーブル６００は、複数の単線からなり、その内の一本がアース線として使用されている。
【００１４】
また、本体１００の一端側は、ハウジング７００が収容できる形状となっている。さらに、本体１００の一端側の内部には、ハウジング７００に収容されたアダプタ（図示せず）に嵌合するアダプタ１１０が収容されている。
【００１５】
アダプタ１１０にはオスピンまたはメスピン（図示せず）を備える。このオスピンまたはメスピンは、対応するケーブル６００の単線に各々結線されている。一方、ハウジング７００に収容されたアダプタ（図示せず）にも、アダプタ１１０に対応したオスピンまたはメスピンを備える。
【００１６】
さらに、本体１００の他端側はコネクタ部２００が一体形成されている。この構成により、ケーブルの密閉化および確実なケーブルの保持を図るための、部品点数を少なくし、製品のコストダウンや作業効率を向上させることができる。また、コネクタ部２００は、円筒状に形成され、規制部２１０とフランジ部２２０とからなる。規制部２１０は、過度に本体１００側に締付ナット３００が進入しないようにするものである。
【００１７】
さらに、フランジ部２２０は、鍔部２３０の径よりも僅かに小さく、軸線方向側に向かった所定の幅を持っている。フランジ部２２０の内周面は、ケーブル６００が挿入しやすい形状となっている。さらに、フランジ部２２０の外周面（いわゆる外壁）は後に述べる締付ナット３００と螺合するねじ部２４０が設けられている。
【００１８】
また、カラー５００の足部５１０を受け入れるように、フランジ部２２０の外壁面に端縁から軸方向中央に向かって、後に述べるカラー５００の足部５１０を差し込むための縦溝２５０が形成されている。締付ナット３００が進入してくるフランジ部２２０の端面は、パッキン４００の端面とカラー５００の端面が密着できるように形成されている。
【００１９】
縦溝２５０の幅および長さは足部５１０の形状に合わせて設計される。締付ナット３００の締め付ける時、この縦溝２５０へ足部５１０が差込まれることにより、カラー５００が本体１００と一体形成されたコネクタ部２００に係止され、かかる係止によりカラー５００の回り止めが行われる。なお、カラー５００の足部５１０はそれを縦溝２５０に差し込んだときに、第１の筒部の外径よりも突出しない厚さとされている。
【００２０】
図３に示すように、締付ナット３００はコネクタ部２００と螺合するものであり、ポリアミド系の合成樹脂で形成されている。締付ナット３００は、袋状の円筒体よりなり、ケーブル６００の外径よりも僅かに大きい径を有する端壁部３１０と、端壁部３１０の外周縁より連続して軸線と平行に延びる円筒フランジ部３２０とからなる。
【００２１】
円筒フランジ部３２０は、その内周面にコネクタ部２００と螺合する雌ネジが設けられ、外周部にはナット締め用の締付部３３０が形成されている。ケーブル６００が挿通可能な開口を有する環状のカラー５００が遊嵌して配置されている。
【００２２】
さらに、端壁部３１０の内周面には、後に述べるカラー５００のラチェット５２０と協働する係合部３４０が形成されている。具体的に、係合部３４０は、締付ナット３００の締め付け時にはラチェットに形成された凹凸を乗り越えて締め付けを可能とし、締付ナット３００の緩み方向ではラチェットの凸部と衝突して乗り越えが容易でないような高さの突起または突状となっている。
【００２３】
パッキン４００は、ゴム等の弾性体により形成された幅広の筒状体であり、ケーブル６００の外径とほぼ等しいまたは僅かに大きい内径を有し、且つその両端近くの内面はその端部から中央側に向かって所定長さだけ漸次に縮径されている。
【００２４】
これによりパッキン４００の両端側に圧力が加わったときには、パッキン４００は中央部を中心に外側に反り返るように変形する。この変形によりパッキン４００の内周面の腹がケーブル６００の外周面に圧接し、ケーブル６００を固定する。
【００２５】
締付ナット３００の内壁端面とパッキン４００との間に装着されるカラー５００は、パッキン４００の一端面と接触してそれを受けるドーナツ円盤状の接触面を形成する底壁５３０と、底壁５３０の縁部から軸線方向に突出した足部５１０とからなる。
【００２６】
底壁５３０の中央孔はケーブル６００を挿通するために、締付ナット３００の中央孔とほぼ同じ径となっている。図示例では１８０度で対面する薄厚の平行する２本の足部５１０を示すが、それ以上の数の足部５１０を設けても良く、また、足部５１０と足部５１０との角度間隔は等間隔であることにこだわらない。
【００２７】
また、カラー５００の底壁５３０の裏面には、締付ナット３００の緩み方向に対して抵抗する方向に傾斜した複数の山を環状に配列して有するラチェット５２０が形成されている。なお、ラチェット５２０は、係合部３４０と同様な構造であってもよい。
【００２８】
次に、本体１００へのケーブル６００の取付方法について述べる。予め、本体１００に一体形成されたコネクタ部２００のフランジ部２２０の外周面にパッキン４００、カラー５００を内包の後、締付ナット３００を緩く螺合させてセットする。
【００２９】
次いで、締付ナット３００側からケーブル６００をコネクタ内に挿通させた後、締付ナット３００を締め付ける。この締め付けによりパッキン４００が変形してコネクタ部２００内と外部との隙間をシールすると同時にケーブル６００を圧して固定させる。この締め付けにおいてカラー５００はコネクタ部２００に係止されている。
【００３０】
このように、コネクタ部２００が本体１００に一体形成されていることにより、フードにケーブル６００を接続するための部品点数を少なくすることができ、製品のコストダウンや作業効率を向上させることができる。
【図面の簡単な説明】
【００３１】
【図１】本発明のハウジングを組み付けた図。
【図２】本発明のハウジングの分解した図。
【図３】本発明のハウジングのコネクタ部側の詳細を示す図。
【符号の説明】
【００３２】
１００  本体
２００  コネクタ部
３００  締付ナット
４００  パッキン
５００  カラー
.
【図１】
0004771523.tif 000002
【図２】
0004771523.tif 000003
【図３】
0004771523.tif 000004